(57)【要約】【課題】  ドアのそり変形による、外観を損なう意匠的な不具合や開閉時の動作性能の不具合を解消することができ、その手段が簡便で安価なドア開閉構造を提供する。【解決手段】  ドアを開動方向に付勢させる部材としては板バネを用い、板バネをキャビネット側に固定する。さらには、ドアが開閉する動作に伴って、板バネが付勢する力の方向が変化するようにすることにより、ドアが閉状態での板バネによる付勢力によるドアを開動させる方向に働く力が小さくすることができる。【選択図】  図１
2008252432.tif 000002
【特許請求の範囲】
【請求項１】
キャビネットに取付けられたドアを開閉可能にするためのドア開閉機構を備えた電子機器において、
前記キャビネットは、前記ドアの回動中心となる軸体と板バネが設けられ、前記ドアは、前記キャビネットに設けられた軸体と嵌合される軸孔を含む突片が設けられており、
更に、前記突片は切欠きが形成され、該切欠きを通して前記ドアの軸孔が前記キャビネットの軸体に着脱可能に嵌合され、
前記板バネを前記突片の前記切欠きが形成された部分に当接させて、前記ドアを開動方向に付勢させたことを特徴とするドア開閉機構を備えた電子機器。
【請求項２】
請求項１に記載のドア開閉機構を備えた電子機器において、
前記板バネが前記ドアを付勢する付勢力の働く方向と、前記軸体中心および前記板バネと前記突片の当接する部分とを結ぶ面との角度をθとしたとき、
前記ドアが開動するにしたがって、前記角度θが大きくなることを特徴とするドア開閉機構を備えた電子機器。
【請求項３】
請求項１または２記載のドア開閉機構を備えた電子機器において、
前記切欠きの形状が、前記軸孔から離れるに従って大きくなるテーパー形状とされることを特徴とするドア開閉機構を備えた電子機器。
【請求項４】
請求項１乃至３のいずれかに記載のドア開閉機構を備えた電子機器において、
前記ドア開閉機構は、前記突片が前記ドアの長手方向に沿って３つ以上設けられており、該突片のうち両端以外の突片に前記板バネを当接させたことを特徴とするドア開閉機構を備えた電子機器。
【請求項５】
テレビジョン受像機において、
前記テレビジョン受像機の筐体を構成するためのキャビネットと、
前記キャビネットの前面側に配置され、かつ操作ボタン及び／または外部機器と接続するための端子を有するパネル部と、
前記キャビネットに着脱可能に取付けられ、かつ開閉可能に構成されたドアと、を備え、
前記ドアが閉状態においては該ドアにより前記パネル部が隠蔽され、開状態においては前記パネル部が露出されるようにされており、
前記キャビネットは、前記ドアの回動中心となる軸体と板バネが設けられ、前記ドアは、前記キャビネットに設けられた軸体と嵌合される軸孔を含む突片が設けられており、
更に、前記突片は切欠きが形成され、該切欠きを通して前記ドアの軸孔が前記キャビネットの軸体に着脱可能に嵌合され、
前記板バネを前記突片の前記切欠きが形成された部分に当接させて、前記ドアを開動方向に付勢させたことを特徴とするドア開閉機構を備えた装置。
【発明の詳細な説明】
【技術分野】
【０００１】
本発明は、例えばテレビジョン受像機等の装置に設けられた、例えば端子やスイッチ類等を隠蔽もしくは露出するためのドアの開閉機構に係る技術に関するものである。
【背景技術】
【０００２】
テレビジョン受像機のような電子機器では、チャンネル切り替えや音量、画質調整等を行う操作ボタン、及び／または、録画機器などの外部機器と接続するための入出力端子を含むパネル部が配置されている。これらの操作ボタン、外部接続端子等を含むパネル部をキャビネットの前面に配置した場合、デザイン性の向上のため、開閉可能なドアにより通常時はパネル部が隠蔽される。そして、上記操作ボタンを操作する場合や入出力端子に外部機器を接続する場合にのみドアを開いてパネル部を露出するように構成されている。
【０００３】
従来の電子機器のドアの開閉構造としては、下記特許文献１に記載のものが知られている。この特許文献１には、筐体に備わっている取付け片の軸孔に、ドアの左右の突片に各別に備わっている軸体が嵌合されて、その嵌合箇所を中心として開閉動作を行うようになっている。このとき、ねじりコイルバネを上記軸体部に設けて、ドアを開動方向あるいは閉動方向に付勢するようにしている。
【０００４】
【特許文献１】特開２００６―１７２５５６号公報
【発明の開示】
【発明が解決しようとする課題】
【０００５】
上記特許文献１に記載のドアの開閉機構は、ＣＤやＤＶＤなどの光ディスク装置においての技術である。これは、ねじりコイルバネによってドアが閉動方向に付勢されており、ディスクトレイが装置から突出する際に、ディスクトレイがドアを押し開けるようになっている。すなわち、ディスクトレイがドアを開状態に保持している。
【０００６】
例えばテレビジョン受像機のような電子機器における操作ボタン等を覆い隠すドアに、上記特許文献１の技術を用いる場合は、ねじりコイルバネによりドアを開動方向に付勢し、ドアを閉状態で保持する機構を別途設ける方法がある。このドアを閉状態で保持する機構としては、ドアに嵌合突起を形成し、キャビネットにキャッチャを設け、キャッチャで嵌合突起を把持させる機構が一般的である。このキャッチャは、ドアを閉じたときに嵌合突起を掴み、その後にドアを開くときには、ドアを押すことによって嵌合突起を解放するものである。この把持、開放を確実に動作させるためには、嵌合突起とキャッチャはドア中央近傍に配置することが望ましい。また、ドアを開動方向に付勢するねじりコイルバネはドアの一方の端近傍に設けられている。
【０００７】
上記特許文献１に記載の技術においては、ドアを開動方向に付勢するねじりコイルバネの位置と、ドアを閉状態に保持する嵌合突起の位置が離れている場合については考慮されておらず、温度変化やクリープなどによって、ドアにそり変形を生じ、そり変形が大きい場合、ドアとキャビネットの間に段差を生じて外観が損なわれるような意匠的な不具合となったり、また、開閉時の動作性能が損なわれたりする問題があった。
【０００８】
このため、ドアの変形を一定量の範囲内に抑える必要があった。そのため、ドアの板厚を厚くする、あるいは剛性の高い材質のものを使用するなどの必要があった。そのため、デザイン的な制約を生じるとともに、低コスト化を図るには、自ずと限界があるものであった。
【０００９】
また、上記特許文献１に記載の技術においては、ユーザーが手動で開閉動作をすることについては考慮されておらず、ドアが開いた状態で、ドアにある所定以上の負荷をかけた場合に、ドアとキャビネットの嵌合部が破損あるいは外れるという問題もあった。ねじりコイルバネは小さな部品であり、嵌合部が外れる際に紛失する場合が多く、この場合、ねじりコイルバネを調達するなどしないと、元の状態に戻すことができない。同様に、嵌合部が破損した場合も容易に元の状態に戻すことができない。
【００１０】
したがって、本発明は、上述した従来技術の課題に鑑みて為されたものであり、その目的とするところは、簡便でかつ安価で達成されるドアの開閉機構を提供することにある。
【００１１】
さらには、ドアとキャビネットの嵌合部が破損することを防ぎ、かつドアがキャビネットから外れた場合においても、ユーザーが容易に元の状態に戻すことができるドアの開閉機構を提供することである。
【課題を解決するための手段】
【００１２】
本発明に係る電子機器のドアの開閉構造は、キャビネット側に軸体を設け、ドアに軸孔を有する突片を設け、軸体と軸孔を嵌合させるようにする。このとき、軸孔には切欠きを設ける事により、この切欠きを通して軸体と軸孔を嵌合可能にすることで容易にドアの取外し、取付けが可能となる。
【００１３】
また、ドアを開動方向に付勢させる部材としては板バネを用い、板バネをキャビネット側に固定し、この板バネをドアの軸孔の切欠き部に当接させるようにする。このようにすることにより、ドアが外れても板バネはキャビネット側に残るため、容易に取付けることが可能となる。
【００１４】
さらには、ドアが開閉する動作に伴って、板バネが付勢する力の方向が変化するようにすることにより、ドアが閉状態での板バネによる付勢力によるドアを開動させる方向に働く力が小さくすることができる。
【００１５】
このような構成によれば、ドアのそり変形による、開閉時の動作性能の不具合や外観が損なわれたりする不具合を解消することができ、その手段も簡便で安価なドア開閉構造を提供できる。
【００１６】
また、ドアに過大な負荷が加わったときに、ドアが外れた場合においても、ユーザーが簡単にドアの取付けて元の状態に戻すことが可能となる。
【発明の効果】
【００１７】
本発明によれば、簡便でかつ安価なドアの開閉機構が提供できる。
【発明を実施するための最良の形態】
【００１８】
以下、本発明に係るドアの開閉機構の実施形態について、図面を参照しつつ説明する。
【００１９】
図１乃至３は、本実施例に係るドアの開閉構造を示すものであり、テレビジョン映像の表示面と直交する垂直方向の断面図を示している。そして図１、図２、図３は、それぞれドアが閉状態、開状態およびドアが外れた状態を示している。本実施例では、電子機器としてテレビジョン受像機を用いた場合を例にして説明するものとする。勿論、他の電子機器でも本実施形態が適用されることは言うまでも無い。
【００２０】
キャビネット１は、例えばテレビジョン受像器の筐体を構成するものであり、例えばその前面（テレビジョンの表示映像の観察側）には、そのキャビネットに取付けられ、開閉可能に構成されたドア２が設けられている。キャビネット１側には、ドア２を着脱可能に取付けるための円柱形状の軸体３が設けられており、キャビネット１に固定されている。この軸体３には、ドア２の突片２１に形成された切欠き２４を通して軸孔２３が嵌合される。更にキャビネット１は、上記ドア２の突片２１に形成された切欠き２４に当接する板バネ４、この板バネ４を固定するためのストッパ５、及び板バネ４とストッパ５とをキャビネット１に固定的に取付けるための固定ネジ６を備えている。ドア２の内側には、チャンネル切り替えや音量、画質調整用の操作ボタン、外部録画機器と接続するための映像・音声入出力端子などが設けられたパネル部が配置されている（図示せず）。そして、ドア２が閉じている状態では、操作ボタン及び入出力端子が隠蔽され（すなわちユーザーの視線から覆い隠され）ており、ドア２が開いている状態では、これら操作ボタン、入出力端子が露出され、操作ボタン、入出力端子がユーザーにより利用可能な状態となる。
【００２１】
図に示すように、ドア２は樹脂の成型品であり、その内側には突片２１が一体に設けられている。この突片２１には、軸体３と略同径の軸孔２３があり、軸体３と軸孔２３が嵌合することにより、ドア２は軸体３を回動中心として開閉するようになっている。また、突片２１には切欠き２４が形成されており、この切欠き２４の形状は図に示すように軸孔２３部が最小幅であり、その最小幅は軸体３より少し小さい。また、軸孔２３から離れるにしたがって切欠き２４の幅が大きくなるようなテーパー形状となっている。これにより、ドア２が外れた状態（図３）から切欠き２４部を軸体３に押し付けることにより、容易に軸孔２３と軸体３が嵌合し、ドアが取付けられた状態（図２）になることができる。また、その逆も容易である。上記したように切欠き２４の最小幅は軸体３の直径より少し小さいが、突片２１は樹脂製であるため、突片２１を弾性変形させることにより切欠き２４の最小幅部分を軸体３が通過することが可能となる。
【００２２】
板バネ４は、ストッパ５とともにキャビネット１に設けられたバネ取付け部７に固定ネジ６により固定されている。板バネ４の材質としては、ステンレスのばね鋼材であり、このばね鋼材を形状加工されたものである。板バネ４は４ｇを支点とし、先端（図中左端）近傍でドア２の切欠き２４部と当接するようにする。板バネ４においては、４ｇを支点とし図中左回り方向にばね力が働くようにする。したがって、板バネ４のばね力により、ドア２の切欠き２４部に付勢力Ｆ１、Ｆ２がドア２を開動させようとする方向に働いている。
【００２３】
上記したように、ドア２には板バネ４によって常時開動方向に付勢されているため、ドア２を閉状態（図１）で保持するための機構が必要となる。この機構について説明する。ドア２の内側には嵌合突起２２が形成されており、キャビネット１の対応する位置には、嵌合突起２２を把持するためのキャッチャ１１が設けられている。キャッチャ１１は、ドア２を閉じたときに嵌合突起２２を掴み、その後にドア２を開くときには、ドア２を押すことによって嵌合突起２２を解放するようになっている。
【００２４】
図３を用いて、ドア２の取付け・取外しについて説明する。
【００２５】
上記したように切欠き２４の最小幅は軸体３より少し小さいが、突片２１は樹脂製であるため、突片２１を弾性変形するため切欠き２４の最小幅部分を軸体３が通過することが可能である。また、軸孔２３から離れるにしたがって切欠き２４の幅が大きくなるようなテーパー形状となっているため、この切欠き２４を通して軸体３と軸孔２３とを容易に取付けることができる。
【００２６】
板バネ４は４ｇを支点とし図中左回り方向に変位しようとするが、ドア２が外れている状態において、ストッパ５の受け部５ｆにより、板バネ４の先端４ａの位置が、正面（図中左側）から見て軸体３の直径と略等しい幅Ｗの間に位置するようにする。これにより、ドア２を取付ける際、板バネ２の先端４ａが引っかかって板バネ４が変形、破損することを防止できる。
【００２７】
次に、板バネ４による付勢力の方向について説明する。
【００２８】
最初に図１を用いてドア２が閉状態の場合について説明する。板バネ４とドア２の当接ポイントを４ｈとすると、板バネ４により、ドア２は当接ポイント４ｈ部において、図に示す方向に付勢力Ｆ１が働く。これは、板バネ４の支点４ｇと当接ポイント４ｈを結ぶ面と垂直な方向である。軸体３の中心と４ｈを結ぶ面（一点鎖線）から付勢力Ｆ１までの角度をθ１とすると、ドア４を開動させようとする力Ｆ１’は、下記数１となる。
（数１）  Ｆ１’＝ｔａｎ（θ１）
次に図２を用いてドア２が開状態について説明する。同様に、板バネ４とドア２の切欠き２４部と当接ポイントを４ｈとし、ドア２に働く付勢力をＦ２とすると、図２に示すように、板バネ４からの付勢力Ｆ２が働く方向は４ｇが支点であるためＦ２の方向となる。ここで、軸体３の中心（ドア２の回動中心）と４ｈを結ぶ面から付勢力Ｆ２までの角度をθ２とする。よってドア４を開動させようとする力Ｆ２’は、下記数２となる。
（数２）  Ｆ２’＝ｔａｎ（θ２）
閉状態と開状態とでドア２にかかる付勢力Ｆ１、Ｆ２の関係は
（数３）  Ｆ１＞Ｆ２
であり、θ１とθ２の関係は、
（数４）
θ１＜θ２
である。したがって、開状態から閉状態となるとき、付勢力はＦ２からＦ１と増加するが、軸体３中心と当接ポイント４ｈを結ぶ平面と付勢力の角度が減少するため、板バネ４がドア２を開動させようとする力Ｆ’を小さくすることが可能である。よって、ドア２のそり変形により、ドア２とキャビネット１の間に段差を生じて外観を損なう意匠的な不具合や、開閉時の動作性能が損なわれたりするポテンシャルを最小限に抑えることができる。
【００２９】
図４は、本実施例に係るドアの開閉機構に用いられる板バネ２の一具体例を示す斜視図である。上記したように、板バネ４の材質はステンレスのばね鋼材である。図に示すように、本実施例に使用される板バネ４は、位置決め用の穴４ｂ、位置決め用の切欠き４ｃ、固定ネジ用の逃げ穴４ｄ、バネ部４ｆを備えている。
【００３０】
図５は、本実施例に係るドアの開閉機構におけるストッパ５の一具体例をを示す斜視図である。ストッパ５の材質は、バネ性は必要ないため、安価な鉄や軽量なアルミなど、特に限定されるものではない。図に示すように、かかるストッパ５は、位置決め用の穴５ｂ、位置決め用の切欠き５ｃ、固定ネジ用の逃げ穴５ｄ、ストッパ部５ｆを備えている。
【００３１】
図６は本実施例に係るドアの開閉機構を電子機器の内側からみた部品展開図である。キャビネット１の内側にバネ取付け部７があり、バネ取付け部７には、位置決め用ボス８および固定ネジ用穴９が設けられている。図に示すように、板バネ４１とストッパ５１の固定ネジ用逃げ穴に固定用ネジ６１を挿入し、固定ネジ用穴９にネジ締めすることにより、
固定している。このとき、位置決め用ボス８を板バネ４１、ストッパ５１の位置決め用穴、位置決め用切欠きに挿入させることにより、板バネ４１、ストッパ５１の位置が所定位置になるようにし、さらには、固定用ネジ６を締める際に回転して位置ずれしないようにしている。板バネ４２、ストッパ５２においても同様である。
【００３２】
図７、図８はキャビネット１を表側からみたときのドア２の外観を示すものであり、図７はドア２を開いた状態、図８はドア２を閉じた状態を示している。図８に示されるように、パネル部２５は操作ボタン１０やその他入出力端子が配置されており、ドア２が閉状態においては、かかるパネル部２５がドア２により覆い隠されている。図７に示すように、ドア２に設けられた嵌合突起１１は、ドア２の幅方向の略中央に位置するようにしている。これは、ユーザーがドア２を押したときに、確実に嵌合突起２２とキャッチャ１１の嵌合解除させるためである。
【００３３】
また図７に示すように、ドア２とキャビネット１の嵌合部である突片２１は左右両端近傍と、ドア２の幅方向で略４等分の位置の４箇所設けている。図では隠れて見えないが、４箇所の突片２１のすべてに軸孔２３および切欠き２４があり、それぞれに対応する位置のキャビネット１側には軸体３を設けている。２つの板バネ４１，４２に対応する突片２１は、４箇所のうち嵌合突起２２に近い２箇所としている。このように、板バネ４により付勢力が作用する位置を嵌合突起２２に近い位置とすることにより、ドア２を閉状態（図８）としたときにドア２とキャビネット１とで段差ができるのをさらに防ぐことができる。
【００３４】
上記実施の形態においては、板バネ４を２個用いているが、これに限定されるものでなく、１個あるいは３個以上でも同等な効果を得ることができる。さらには、ドア２に設けた突片２１を４箇所としているが、３箇所あるいは５箇所以上でも構わない。このときは、板バネ４は両端以外の突片部に設けることが望ましい。
【００３５】
以上の通り、本実施例に拠れば、ドアの開閉構造において、ドア２の板厚を厚くする、あるいは剛性の高い材質のものを使用するといったことが不要となり、デザイン的な制約をなくすことができるとともに、低コスト化を図ることが可能となる。
【００３６】
またその手段も、板バネ４を固定用ネジ６で固定するという簡便な方法により構成されているため、組み立て作業も容易であり、また安価にて達成することができる。
【００３７】
さらには、ドア２が外れた場合においても、板バネ４はキャビネット１に固定されているため、ドア２を容易に取付けることが可能となる。
【図面の簡単な説明】
【００３８】
【図１】本実施形態に係るドアの開閉機構の一実施形態を示す図であって、ドアが閉状態をときの断面図
【図２】本実施形態に係るドアの開閉機構の一実施形態を示す図であって、ドアが開状態をときの断面図
【図３】本実施形態に係るドアの開閉機構の一実施形態を示す図であって、ドアを外したときの断面図
【図４】本実施形態に係るドアの開閉機構に用いられる板バネ４の一構成例を示す斜視図
【図５】本実施形態に係るドアの開閉機構に用いられるストッパ５の一構成例を示す斜視図
【図６】本実施形態に係るドアの開閉機構の分解斜視図
【図７】本実施形態に係るドアの開閉機構を表側から見た図であって、ドアが開状態のときの斜視図
【図８】本実施形態に係るドアの開閉機構を表側から見た図であって、ドアが閉状態のときの斜視図
【符号の説明】
【００３９】
１…キャビネット
２…ドア
３…軸体
４…板バネ
５…ストッパ
６…固定用ネジ
【図１】
2008252432.tif 000003
【図２】
2008252432.tif 000004
【図３】
2008252432.tif 000005
【図４】
2008252432.tif 000006
【図５】
2008252432.tif 000007
【図６】
2008252432.tif 000008
【図７】
2008252432.tif 000009
【図８】
2008252432.tif 000010